(57)【要約】【課題】操作性及び操作フィーリングに優れた画像表示装置を提供する。【解決手段】表示画面７０には、確定前のメニュー領域の一部を残して確定された選択項目に関連するメニュー領域が設けられることで、現在のメニュー領域の階層をわかりやすくすることができる。また、表示画面７０に残された確定前のメニュー領域の一部に指が接触されることで表示画面７０に確定前のメニュー領域が設けられるため、過去のメニュー領域へと容易に戻ることができる。【選択図】図１８
2008234667.tif 000002
【特許請求の範囲】
【請求項１】
指の接触に基づき操作を検出する表示部の表示画面に、複数の選択項目が配設されたメニュー領域を設けた画像表示装置において、
前記複数の選択項目のいずれかの選択が確定されたとき、前記表示画面に該確定された選択項目に関連するメニュー領域を該確定前のメニュー領域の一部を残して設け、
前記表示画面に残された前記確定前のメニュー領域の一部に指が接触されることで、該表示画面に該確定前のメニュー領域を設けることを特徴とする画像表示装置。
【請求項２】
指の接触に基づき操作を検出する表示部の表示画面に、複数の選択項目が配設されたメニュー領域を設けた画像表示装置において、
前記複数の選択項目のいずれかに指が接触されることで、前記表示画面に該接触された選択項目を説明する説明領域を設け、
前記選択項目に接触された指が該選択項目から離間されることで前記説明領域を消去し、
前記選択項目に接触された指が所定の態様で該選択項目から移動されることで、前記表示画面に該接触された選択項目に関連するメニュー領域を設けることを特徴とする画像表示装置。
【請求項３】
請求項２に記載の画像表示装置において、
前記選択項目に接触された指の所定の態様での移動は、該指の接触状態での前記表示画面上の移動であることを特徴とする画像表示装置。
【請求項４】
請求項２に記載の画像表示装置において、
前記説明領域には、前記複数の選択項目のいずれかの選択を確定する確定領域が設けられ、
前記選択項目に接触された指の所定の態様での移動は、該指の接触状態での前記確定領域への移動であることを特徴とする画像表示装置。
【請求項５】
請求項２に記載の画像表示装置において、
前記説明領域には、前記複数の選択項目のいずれかの選択を確定する確定領域が設けられ、
前記選択項目に接触された指の所定の態様での移動は、所定時間内における該選択項目から前記確定領域への移動であることを特徴とする画像表示装置。
【発明の詳細な説明】
【技術分野】
【０００１】
本発明は、画像表示装置に関するものである。
【背景技術】
【０００２】
従来、パソコン（パーソナル・コンピュータ）などにおいて、深い階層のディレクトリに存在するファイルのパスを記憶した分身（ショートカットファイル）を作成する機能（一般に、「ショートカット機能」、「エイリアス機能」と呼ばれる）が知られている。利用者は、このショートカットファイルを選択操作することで、当該ファイルを容易に読み出すことができる。
【０００３】
こうした機能は、車両用ナビゲーション装置などにも採用されており、例えば深い階層に存在する操作メニューをいわゆるショートカットキーなどの操作スイッチ等に登録することが行われている。
【０００４】
なお、車両用ナビゲーション装置では、表示画面に指を接触させて操作を行うタッチパネルを備えたものもあり、例えば特許文献１などが知れている。
【特許文献１】特開２００１−９１２８３号公報
【発明の開示】
【発明が解決しようとする課題】
【０００５】
しかしながら、こうしたショートカットの作成・登録は、各種選択・設定等を必要とし、その操作自体が面倒であった。従って、特に車両用ナビゲーション装置などでは、車両走行中での操作が主体となるため面倒な操作を行うことができず、利用可能な操作も自ずと制約を受けていた。
【０００６】
本発明の目的は、表示部の表示画面に指を接触させて操作する画像表示装置及びナビゲーション装置において、操作性及び操作フィーリングに優れた画像表示装置を提供することにある。
【課題を解決するための手段】
【０００７】
上記問題点を解決するために、請求項１に記載の発明は、指の接触に基づき操作を検出する表示部の表示画面に、複数の選択項目が配設されたメニュー領域を設けた画像表示装置において、前記複数の選択項目のいずれかの選択が確定されたとき、前記表示画面に該確定された選択項目に関連するメニュー領域を該確定前のメニュー領域の一部を残して設け、前記表示画面に残された前記確定前のメニュー領域の一部に指が接触されることで、該表示画面に該確定前のメニュー領域を設けることを要旨とする。
【０００８】
請求項２に記載の発明は、指の接触に基づき操作を検出する表示部の表示画面に、複数の選択項目が配設されたメニュー領域を設けた画像表示装置において、前記複数の選択項目のいずれかに指が接触されることで、前記表示画面に該接触された選択項目を説明する説明領域を設け、前記選択項目に接触された指が該選択項目から離間されることで前記説明領域を消去し、前記選択項目に接触された指が所定の態様で該選択項目から移動されることで、前記表示画面に該接触された選択項目に関連するメニュー領域を設けることを要旨とする。
【０００９】
請求項３に記載の発明は、請求項２に記載の画像表示装置において、前記選択項目に接触された指の所定の態様での移動は、該指の接触状態での前記表示画面上の移動であることを要旨とする。
【００１０】
請求項４に記載の発明は、請求項２に記載の画像表示装置において、前記説明領域には、前記複数の選択項目のいずれかの選択を確定する確定領域が設けられ、前記選択項目に接触された指の所定の態様での移動は、該指の接触状態での前記確定領域への移動であることを要旨とする。
【００１１】
請求項５に記載の発明は、請求項２に記載の画像表示装置において、前記説明領域には、前記複数の選択項目のいずれかの選択を確定する確定領域が設けられ、前記選択項目に接触された指の所定の態様での移動は、所定時間内における該選択項目から前記確定領域への移動であることを要旨とする。
【発明の効果】
【００１２】
請求項１に記載の発明によれば、表示画面に、確定前のメニュー領域の一部を残して確定された選択項目に関連するメニュー領域が設けられることで、現在のメニュー領域の階層をわかりやすくすることができる。また、表示画面に残された確定前のメニュー領域の一部に指が接触されることで表示画面に確定前のメニュー領域が設けられるため、過去のメニュー領域へと容易に戻ることができる。
【００１３】
請求項２〜５のいずれかに記載の発明によれば、複数の選択項目のいずれかに指が接触されることで、表示画面に該接触された選択項目を説明する説明領域が設けられるため、以後の操作を円滑に行うことができる。また、この説明領域は、選択項目に接触された指が離間されることで容易に消去することができる。さらに、選択項目に接触された指が所定の態様で該選択項目から移動されることで、表示画面に該接触された選択項目に関連するメニュー領域が設けられるため、次の階層へと円滑に移行することができる。
【発明を実施するための最良の形態】
【００１４】
（第１実施形態）
以下、本発明を具体化した第１実施形態を図面に従って説明する。
図１は、本実施形態が適用される車両用ナビゲーション装置１１のシステム構成を示すブロック図である。この車両用ナビゲーション装置１１は自動車などの車両に搭載されるもので、入出力装置１２、現在位置検出装置１３、情報記憶装置１４及び主制御装置１５を備えている。
【００１５】
なお、車両用ナビゲーション装置１１の主制御装置１５には、ＴＶやラジオなどの電波を選択受信するチューナ１６のコントローラ１６ａ、ＣＤ，ＤＶＤやオーディオテープなどを再生するオーディオ装置１７のコントローラ１７ａ、エアコン（エアーコンディショナ）１８のコントローラ１８ａ、インターネット網を介して各種データや電子メイルを送受信する携帯電話機１９のコントローラ１９ａが接続されている。そして、車両用ナビゲーション装置１１は、主制御装置１５とコントローラ１６ａ〜１９ａとの間で相互に情報（データ）を交換できるようになっている。
【００１６】
入出力装置１２は、目的地を入力したり、利用者が必要な時に案内情報を音声や画像にて出力できるようにしたりして、利用者の意思によりナビゲーション処理を主制御装置１５に指示する装置である。
【００１７】
入出力装置１２は、表示部を構成するタッチパネル２１及びディスプレイ２２、スピーカ２３を備えている。
タッチパネル２１は、ディスプレイ２２の略全面に亘って重ねられた透明な接触検知用のパネルであり、例えば利用者がディスプレイ２２の表示画面に合わせて指先などを接触させると、当該接触位置に応じた信号を主制御装置１５に出力する。従って、このタッチパネル２１によりディスプレイ２２の表示画面に応じてタッチスイッチやキースイッチ（ジョグキーなど）等が構成されるようになっている。そして、利用者は、このタッチパネル２１（スイッチ等）の選択操作等により、目的地の設定や経路探索等を行う。なお、接触の検知としては圧力変化を感知する感圧式や、静電気による電気信号を感知する静電式、光の照射・遮断に応じた電気信号を感知する光電式などがある。
【００１８】
ディスプレイ２２は、例えば車両のダッシュボードに隣接して搭載されており、カラー液晶ディスプレイを用いている。このディスプレイ２２は、例えば経路案内として現在位置を含む地図を表示する。スピーカ２３は、経路案内を音声で出力する。
【００１９】
現在位置検出装置１３は、車両の現在位置に関する情報を検出、或いは、受信する装置である。現在位置検出装置１３は、ＧＰＳ受信装置３１、絶対方位センサ３２、相対方位センサ３３、距離センサ３４及びＶＩＣＳ（道路交通情報通信システム；Vehicle Information and Communication System）受信装置３５を備えている。なお、ＶＩＣＳは、渋滞情報や道路規制情報とを車両に向けて送信するシステムである。
【００２０】
ＧＰＳ受信装置３１は、衛星航法システム（ＧＰＳ；Global Positioning System ）を利用して車両の現在位置や、車両方位、車両速度等を検出する。絶対方位センサ３２は、地磁気センサなどで構成されている。相対方位センサ３３は、ステアリングセンサ、ジャイロなどで構成されている。距離センサ３４は、車輪の回転数から走行距離を算出する。
【００２１】
ＶＩＣＳ受信装置３５は、ＦＭ多重放送局、ビーコン（道路に設置され、狭域の渋滞情報や道路規制情報等を車両に向けて送信する発信機）が送信する道路情報を受信する受信装置である。
【００２２】
情報記憶装置１４は、ナビゲーションプログラム及びデータを記憶する。ナビゲーションプログラムは、地図描画部、経路探索部、経路案内部、現在位置計算部、目的位置設定操作制御部等からなる。つまり、ナビゲーションプログラムは、経路探索や経路上の任意の地点の探索などの処理を行うためのプログラムや、経路案内に必要な表示制御、音声案内に必要な音声出力制御を行うためのプログラムからなる。
【００２３】
一方、データは、ナビゲーションプログラムの実行に必要なデータ、さらに、経路案内及び地図表示に必要な表示情報等からなる。具体的には、地図データ（道路地図、住宅地図、建物形状地図等）、道路データ、駐車場データ、交差点データ、ノードデータ、写真データ、登録地点データ、目的地点データ、目的地読み込みデータ等を含む。これらのデータは、緯度及び経度からなる位置情報とその位置情報で示される位置に関する情報とが関連付けられている。また、経路案内等において地図に重ねて表示する各種マークの画像データ等を含む。
【００２４】
また、情報記憶装置１４は、後述する各種機能・操作の設定等に必要な表示制御を行うための画像表示プログラム及びデータを併せて記憶する。
主制御装置１５は、ＣＰＵ（中央制御装置）４１、フラッシュメモリ４２、ＲＯＭ４３、ＲＡＭ４４、画像メモリ４５、画像プロセッサ４６、音声プロセッサ４７、通信インタフェース４８、センサ入力インタフェース４９、時計５０を備えている。
【００２５】
ＣＰＵ４１は、種々の演算処理を実行する。例えば、ＣＰＵ４１は、情報記憶装置１４から読み出されたナビゲーションプログラムに従って経路探索等の処理を行う。つまり、ＣＰＵ４１は、車両の現在位置に関する検出データから車両の現在位置を算出し、その現在位置や目的地の位置情報に基づいて、経路探索等の処理を行う。あるいは、ＣＰＵ４１は、ディスプレイ２２に車両の現在位置を含む地図及び所要のマークを表示して経路案内を行う。
【００２６】
また、ＣＰＵ４１は、情報記憶装置１４から読み出された画像表示プログラムに従って、チューナ１６、オーディオ装置１７、エアコン１８、携帯電話機１９によって実現される機能・操作を設定等するための画像をディスプレイ２２に表示させる。
【００２７】
フラッシュメモリ４２は、情報記憶装置１４から読み出したナビゲーションプログラム、画像表示プログラム及び画像表示に係る利用者の設定情報（データ）等を格納する。ＲＯＭ４３は、フラッシュメモリ４２に格納したプログラムのプログラムチェック、更新処理を行うプログラムを格納している。
【００２８】
ＲＡＭ４４は、設定された目的地の地点座標、探索された経路案内情報、演算処理中のデータ等を一時格納する。
画像メモリ４５は、ディスプレイ２２に表示する地図等の画像データを記憶する。画像プロセッサ４６は、ＣＰＵ４１からの表示制御信号に基づいて、画像メモリ４５から画像データを取り出し、画像処理を施してディスプレイ２２に地図等を表示する。
【００２９】
音声プロセッサ４７は、ＣＰＵ４１からの音声出力制御信号に基づいて、経路案内情報に含まれる音声出力のための情報をアナログ信号に変換させてスピーカ２３に出力する。例えば、音声プロセッサ４７は、情報記憶装置１４から読み出した走行案内のための音声、フレーズ、１つにまとまった文章、音等を合成してアナログ信号に変換させる。
【００３０】
通信インタフェース４８は、入出力装置１２のタッチパネル２１、現在位置検出装置１３のＧＰＳ受信装置３１、ＶＩＣＳ受信装置３５、情報記憶装置１４、コントローラ１６ａ〜１９ａ等と主制御装置１５との間でのデータの授受を行う。センサ入力インタフェース４９は、現在位置検出装置１３の絶対方位センサ３２、相対方位センサ３３及び距離センサ３４からのセンサ信号を取り込む。時計５０は、内部ダイアグ情報に日付や時間を記入する。
【００３１】
そして、ＣＰＵ４１は、探索された経路案内情報に基づいて、経路案内のための各種画面をディスプレイ２２に表示させ、又は、経路案内のための音声をスピーカ２３から出力させるための動作を行う。あるいは、ＣＰＵ４１は、利用者の設定情報等に応じた画面をディスプレイ２２に表示させる。
【００３２】
例えば、ディスプレイ２２において、チューナ１６によりチャンネルを走査（スキャン）させる画像が表示されているとする。このとき、利用者が当該画像のスイッチ等に指先などを接触させると、この操作に対応する信号がチューナ１６のコントローラ１６ａに送信される。コントローラ１６ａは、現環境下でのチャンネルを走査して当該チャンネルをそのメモリに登録するとともに、同チャンネルのリストを主制御装置１５に送信する。これにより、ディスプレイ２２にこれらチャンネルのリストが表示される。そして、利用者がチャンネルのリストのいずれかに指先などを接触させると、この操作に対応する信号がチューナ１６のコントローラ１６ａに送信され、チューナ１６は当該チャンネルの電波を受信する。
【００３３】
あるいは、ディスプレイ２２において、オーディオ装置１７を操作（再生、停止、スキップなど）する画像が表示されているとする。このとき、利用者が当該画像のスイッチ等に指先などを接触させると、この操作に対応する信号がオーディオ装置１７のコントローラ１７ａに送信され、オーディオ装置１７は当該操作に応じた作動を行う。
【００３４】
あるいはまた、ディスプレイ２２において、エアコン１８を操作（設定温度の変更、風量の調整など）する画像が表示されているとする。このとき、利用者が当該画像のスイッチ等に指先などを接触させると、この操作に対応する信号がエアコン１８のコントローラ１８ａに送信され、エアコン１８は当該操作に応じた作動を行う。また、コントローラ１８ａからエアコン１８の動作環境の情報（室内温度など）が主制御装置１５に送信され、ディスプレイ２２に当該情報が表示される。
【００３５】
あるいは、ディスプレイ２２において、携帯電話機１９を操作（インターネットラジオへのアクセス、電子メイルの送受信など）する画像が表示されているとする。このとき、利用者が当該画像のスイッチ等に指先などを接触させると、この操作に対応する信号が携帯電話機１９のコントローラ１９ａに送信され、携帯電話機１９は当該操作に応じた作動を行う。また、コントローラ１９ａから携帯電話機１９の情報（受信した電子メイルの内容など）が主制御装置１５に送信され、ディスプレイ２２に当該情報が表示される。
【００３６】
次に、本実施形態でのディスプレイ２２の画像表示態様について図２〜図１７に従って説明する。これら図２〜図１７は、使用している機能やその操作状態に応じてディスプレイ２２に描画される表示画面５０の例図である。こうした画像表示処理は、コントローラ１６ａ〜１９ａとの間のデータの授受も含めて主制御装置１５のＣＰＵ４１により実行される。なお、利用者による表示画面５０上での操作（指先などの接触）が、タッチパネル２１により検出されることは既述のとおりである。
【００３７】
まず、車両用ナビゲーション装置１１、チューナ１６、オーディオ装置１７、エアコン１８、携帯電話機１９等によって実現しうる全ての機能が待機状態にあるときの表示画面５０の画面例について図２に基づき説明する。なお、これら機能としては、例えば車両用ナビゲーション装置１１によるナビゲーション機能、チューナ１６及びオーディオ装置１７によるオーディオ機能、エアコン１８による空調機能、携帯電話機１９による電子メールの送受信等を含むスケジュール機能及び緊急時の通信連絡機能等である。
【００３８】
図２に示されるように、この表示画面５０の画面例では、上記待機状態にある機能を使用可能状態にするための受容領域５１と、当該機能のショートカット（分身）を登録する機能ショートカット領域５２と、使用可能状態になった機能に関連する操作等のショートカットを登録する操作ショートカット領域５３とを有している。なお、受容領域５１及び機能ショートカット領域５２は、それぞれ表示画面５０の一側及び他側（図２において上側及び下側）に配置されており、操作ショートカット領域５３は機能ショートカット領域５２に並んでその一側（図２において上側）に配置されている。
【００３９】
上記機能ショートカット領域５２には、機能の数に対応して複数（５つ）の機能ショートカットスイッチ５２ａ〜５２ｅが、図２において右から左に順番に配設されている。そして、例えば機能ショートカットスイッチ５２ａには、緊急時の通信連絡機能を示唆するロゴが描画されている。同様に、機能ショートカットスイッチ５２ｂにはスケジュール機能を示唆するロゴが、機能ショートカットスイッチ５２ｃにはナビゲーション機能を示唆するロゴが、機能ショートカットスイッチ５２ｄにはオーディオ機能を示唆するロゴが、機能ショートカットスイッチ５２ｅには空調機能を示唆するロゴがそれぞれ描画されている。
【００４０】
また、操作ショートカット領域５３には、当該機能に関連する操作等のショートカットを登録するための複数（７つ）の操作ショートカットスイッチ５３ａ〜５３ｇが、図２における右から左に順番に配設されている。
【００４１】
ここで、図３に示されるように、例えば表示画面５０（タッチパネル２１）上において利用者が、所要の機能（ここではナビゲーション機能）に対応する機能ショートカットスイッチ（５２ｃ）に指先などを接触させたまま受容領域５１まで移動（以下、ドラッグという）させたとする。このとき、当該機能（ナビゲーション機能）が使用可能状態になる。
【００４２】
そして、図４に示されるように、受容領域５１の一側（図４の上側）に割り込んで当該機能に対応する情報の画像を描画するための情報表示領域５４が配置される。ここでは、情報表示領域５４内に、進行方向を示唆する簡易画像、地点名称（□△交差点）及び当該機能を示唆するロゴ等が描画されている。また、情報表示領域５４の一側端（図４左側の下端）には、使用可能状態にあり、情報表示領域５４に対応する情報の画像が描画されている機能のロゴを含むボタン５４ａが併せて描画される。
【００４３】
一方、受容領域５１の他側端（図４右側の下端）には、情報（位置情報）を仮登録するための線状の情報仮登録部５５及び仮登録された情報を一覧表示させるためのジョグキー５６が並んで描画される。
【００４４】
また、機能ショートカット領域５２において、ナビゲーション機能を示唆するロゴが消される。このとき、残りの待機状態の機能に対応するロゴが図４において右詰となるように再配置され、左端の機能ショートカットスイッチ５２ｅが空白とされる。
【００４５】
さらに、上記操作ショートカット領域５３の操作ショートカットスイッチ（５３ａ〜５３ｆ）には、当該機能（ナビゲーション機能）に対応して登録されている情報（位置情報）の種別等を示唆するロゴが描画されている。例えば、操作ショートカットスイッチ５３ａには、自宅を示唆するロゴが描画されている。同様に、操作ショートカットスイッチ５３ｂ，５３ｃには所定の登録地点を示唆するロゴが、操作ショートカットスイッチ５３ｄには病院を示唆するロゴが、操作ショートカットスイッチ５３ｅにはゴルフ場を示唆するロゴが、操作ショートカットスイッチ５３ｆには宿泊地（ホテル）を示唆するロゴがそれぞれ描画されている。
【００４６】
なお、表示画面５０（タッチパネル２１）上において利用者が、使用可能状態にある機能（ナビゲーション機能）に対応するボタン５４ａを機能ショートカットスイッチ（５２ｅ）までドラッグさせたとする。このとき、当該機能（ナビゲーション機能）は再び待機状態とされる。そして、機能ショートカットスイッチ５２ｅに当該機能を示唆するロゴが描画され、情報表示領域５４が表示画面５０から消される。
【００４７】
次に、ナビゲーション機能を使用可能状態にしているときの動作について更に説明する。図５は、ナビゲーション機能を使用可能状態にしているときの表示画面５０を示す例図である。同図においては、ナビゲーション機能に加えてスケジュール機能及びオーディオ機能が使用可能状態になっており、機能ショートカット領域５２においてこれら機能を示唆するロゴが消されている。そして、情報表示領域５４の一側端（図４右側の下端）には、使用可能状態にあり、情報表示領域５４に対応する情報の画像が描画されていない機能（スケジュール機能及びオーディオ機能）のロゴを含むボタン５４ｂ，５４ｃが併せて描画されている。
【００４８】
ここで、利用者が情報表示領域５４の裾部に指先などを接触させて一側（図５の下側）にドラッグしたとする。このとき、図６に示されるように情報表示領域５４が同側に広げられ、現在位置を含む周辺の地図５７が描画される。そして、この地図５７の描画に伴い、前記情報仮登録部５５及びジョグキー５６は縮まって描画される。一方、利用者が情報表示領域５４（地図５７）の裾部に指先などを接触させて他側（図６の上側）にドラッグすると、情報表示領域５４が同側に狭められ、当該地図５７は消される（図５参照）。なお、地図５７上の任意の点は、タッチパネル２１により各種位置情報と関連づけられている。
【００４９】
図７に示されるように、利用者が情報表示領域５４に描画された地図５７の所定位置に指先などを接触させたとする。このとき、タッチパネル２１により当該接触位置が地図５７上の位置情報（座標若しくはこれと関連づけられた名称、住所など）として検出される。そして、図８に示されるように、当該接触位置に対応して地図５７上に登録地点マーク５８が重畳描画される。
【００５０】
この状態において、図９に示されるように利用者が上記登録地点マーク５８に指先などを接触させて前記情報仮登録部５５までドラッグすると、当該登録地点マーク５８の位置情報が仮登録される。この仮登録された位置情報は、図１０に示されるように利用者が前記ジョグキー５６に指先などを接触させることで仮登録地点ショートカットスイッチ５９ａのリスト５９として表示されるようになっている。これら仮登録地点ショートカットスイッチ５９ａは、利用者が指先などを接触させることで情報表示領域５４に対応する位置を含む地図５７を表示させる。なお、リスト５９に含まれる仮登録地点ショートカットスイッチ５９ａは、利用者が前記ジョグキー５６に指先などを接触させて同ジョグキー５６上をなぞることでスクロールする。
【００５１】
一方、図１１に示されるように利用者が上記登録地点マーク５８に指先などを接触させて前記操作ショートカット領域５３の未登録（空欄）の操作ショートカットスイッチ（５３ｇ）までドラッグすると、当該登録地点マーク５８の位置情報が当該操作ショートカットスイッチに登録される。操作ショートカットスイッチ５３ａ〜５３ｇは、利用者が指先などを接触させることで情報表示領域５４に対応する位置を含む地図５７を表示させる。
【００５２】
次に、オーディオ機能が使用可能状態にあり、前記情報表示領域５４に対応する情報の画像が描画されている状態について説明する。この状態への切り替えは、上述のナビゲーション機能での手順と同様であるため、その説明を割愛する。図１２に示されるように、この状態において上記情報表示領域５４には、オーディオのソースを選択するためのジョグダイヤル６１、当該ソースのチャンネルを一覧で表示するリスト６２、登録チャンネルマーク６３が、選択中のチャンネル名に併せて描画されている。なお、上記操作ショートカット領域５３の操作ショートカットスイッチ（５３ａ〜５３ｄ）には、当該機能（オーディオ機能）に対応して登録されている情報（ここではチャンネル情報）を示唆するロゴが描画されているのはいうまでもない。
【００５３】
ここで、利用者が情報表示領域５４の裾部に指先などを接触させて一側（図１２の下側）にドラッグしたとする。このとき、図１３に示されるように情報表示領域５４が同側に広げられ、上記リスト６２に表示可能なチャンネル数がその分増える。一方、利用者が情報表示領域５４の裾部に指先などを接触させて他側（図１３の上側）にドラッグすると、情報表示領域５４が同側に狭められ、上記リスト６２に表示可能なチャンネル数がその分減る（図１２参照）。
【００５４】
また、利用者が上記登録チャンネルマーク６３に指先などを接触させて前記情報仮登録部５５までドラッグすると、現在選択中のチャンネル情報（放送局名、周波数など）が仮登録される。この仮登録されたチャンネル情報は、リスト６２に表示可能なチャンネル名と一致する。そして、図１４に示されるように利用者が前記ジョグキー５６に指先などを接触させて同ジョグキー５６上をなぞると、リスト６２のチャンネル名はスクロールして選択中のチャンネルが切り替わる。
【００５５】
一方、図１３に併せ示されるように利用者が上記登録チャンネルマーク６３に指先などを接触させて前記操作ショートカット領域５３の未登録（空欄）の操作ショートカットスイッチ（５３ｅ）までドラッグする。すると、現在選択中のチャンネル情報（放送局名、周波数など）が当該操作ショートカットスイッチに登録される。操作ショートカットスイッチ５３ａ〜５３ｇは、利用者が指先などを接触させることで情報表示領域５４に当該チャンネル名等を描画させ、チューナ１６若しくは携帯電話機１９に対応する電波（放送）の受信等をさせる。
【００５６】
次に、スケジュール機能が使用可能状態にあり、前記情報表示領域５４に対応する情報の画像が描画されている状態について説明する。この状態への切り替えも、上述のナビゲーション機能での手順と同様であるため、その説明を割愛する。図１５に示されるように、この状態において上記情報表示領域５４には、当該日の予定等が描画される。そして、上記操作ショートカット領域５３の操作ショートカットスイッチ（５３ａ〜５３ｃ）には、当該機能（スケジュール機能）に対応して登録されている情報（ここでは月間予定）を示唆するロゴが描画される。
【００５７】
また、受信した電子メイルが開かれると、情報表示領域５４には当該電子メイルの内容（送信元、本文）が描画される。そして、上記操作ショートカット領域５３の操作ショートカットスイッチ（５３ａ〜５３ｄ）には、当該機能に対応して登録されている情報（ここでは電子メイルの送信元）を示唆するロゴが描画される。
【００５８】
ここで、利用者が上記電子メイルの描画領域に指先などを接触させて前記情報仮登録部５５までドラッグすると、当該電子メイルの情報が仮登録される。この仮登録された電子メイルの情報は、前記ジョグキー５６の操作によってリストとして表示させ、あるいはその本文を再表示させたりできる。
【００５９】
以上詳述したように、本実施形態によれば、以下に示す効果が得られるようになる。
（１）本実施形態では、表示画面５０に、機能ショートカット領域５２と、操作ショートカット領域５３と、情報表示領域５４とを設けた。そして、機能ショートカット領域５２（機能ショートカットスイッチ５２ａ〜５２ｅ）に指先などを接触させて受容領域５１にドラッグすることで、極めて簡易に所要の機能（ナビゲーション機能、オーディオ機能、空調機能、スケジュール機能及び緊急時の通信連絡機能等）を使用可能状態に切り替えることができる。そして、情報表示領域５４に使用可能状態となったいずれか１つの機能の情報（位置情報、チャンネル情報など）を表示することができる。
【００６０】
また、操作ショートカット領域５３（操作ショートカットスイッチ５３ａ〜５３ｇ）に指先などを接触等させることで、極めて簡易に当該機能の所要操作（情報表示領域５４に対する登録地点を含む地図の表示、チャンネル情報の表示とその受信など）を行うことができる。
【００６１】
（２）本実施形態では、情報表示領域５４に表示される機能に対応して、操作ショートカット領域５３に当該機能の所定情報に応じた操作（情報表示領域５４に対する登録地点を含む地図の表示、チャンネル情報の表示とその受信など）を行う操作ショートカットスイッチ５３ａ〜５３ｇを表示した。従って、機能ごとに所要の操作を円滑に行うことができる。
【００６２】
（３）本実施形態では、情報表示領域５４に接触させた指を機能ショートカット領域５２（機能ショートカットスイッチ５２ａ〜５２ｅ）にドラッグすることで、情報表示領域５４に表示された機能の情報（位置情報、チャンネル情報など）を消去する。これとともに、機能ショートカット領域５２に当該機能を使用可能状態に選択する機能ショートカットスイッチ（５２ａ〜５２ｅ）を表示した。従って、例えば不要な機能の情報が消去される分、表示画面５０の意匠性を向上することができる。あるいは、機能ショートカットスイッチ５２ａ〜５２ｅに指先などを接触させて受容領域５１までドラッグすることで、極めて簡易に所要の機能を使用可能状態に切り替えることができる。
【００６３】
（４）本実施形態では、情報表示領域５４に表示された機能の所定情報（位置情報、チャンネル情報など）に接触させた指を操作ショートカット領域５３（操作ショートカットスイッチ５３ａ〜５３ｇ）にドラッグすることで、操作ショートカット領域５３に当該情報に応じた操作（当該位置を含む地図の表示、チャンネル表示とその受信など）を行う操作ショートカットスイッチ（５３ａ〜５３ｇ）を極めて簡易に表示することができる。
【００６４】
（５）本実施形態では、情報表示領域５４に表示された機能の所定情報（位置情報、チャンネル情報など）に接触させた指を情報仮登録部５５にドラッグすることで、当該情報のショートカットを極めて簡易に作成することができる。
【００６５】
（６）本実施形態では、ジョグキー５６に指を接触させることで、作成されたショートカットの所定情報（位置情報、チャンネル情報など）を極めて簡易に一覧表示することができる。
【００６６】
（７）本実施形態では、一覧表示された所定情報のショートカット（仮登録地点ショートカットスイッチ５９ａ）に指を接触させることで、情報表示領域５４に当該情報を極めて簡易に表示することができる。
【００６７】
（８）本実施形態では、機能ショートカット領域５２において、機能ショートカットスイッチの空欄が左側に配置されるように右詰とした。また、操作ショートカット領域５３において、操作ショートカットスイッチの空欄が左側に配置されるように右詰とした。従って、これらスイッチが一般的な運転席側である右側に配置されることでその操作性を向上することができる。
【００６８】
（９）本実施形態では、表示画面５０（タッチパネル２１）において、操作性及び操作フィーリングの優れた画像表示処理を行うことができる。
（第２実施形態）
以下、本発明を具体化した第２実施形態を図面に従って説明する。なお、第２実施形態は、第１実施形態におけるディスプレイ２２の画像表示態様を変更したのみの構成であるため、同様の部分についてはその詳細な説明は省略する。
【００６９】
図１８は、本実施形態において、タッチパネル２１の操作によりディスプレイ２２に描画される表示画面７０を段階的に示す例図である。こうした画像表示処理は、コントローラ１６ａ〜１９ａとの間のデータの授受も含めて主制御装置１５のＣＰＵ４１により実行される。なお、利用者による表示画面７０上での操作（指先などの接触）が、タッチパネル２１により検出されることは第１実施形態と同様である。
【００７０】
ここで、図１８（ａ）の表示画面７０は、タッチパネル２１に設けられたメニューキー（図示略）に指先などを接触させることでディスプレイ２２に描画される初期メニューの画像を示すものである。なお、この初期メニューの画像が描画されている状態において再び、メニューキーに指先などを接触させると、初期メニューの画像が描画される直前の画像（例えば、地図画像）に戻される。この直前の画像に戻すための操作キーは、メニューキーとは別に設けたもの（例えば、メニュー終了キー）でもよい。また、このメニューキー（及びメニュー終了キー）に関しては、必ずしもタッチパネル２１に設ける必要はなく、ハードウェアの操作キーであってもよい。
【００７１】
図１８（ａ）に示されるように、この表示画面７０には、車両用ナビゲーション装置１１、チューナ１６、オーディオ装置１７、エアコン１８、携帯電話機１９等によって実現しうるいずれかの機能を選択するための第１メニュー領域７１が設けられている。そして、この第１メニュー領域７１には、選択可能な機能の数に対応して複数（７つ）の機能ショートカットスイッチ７１ａ〜７１ｇが、図１８（ａ）において右から左に円弧を描きながら順番に配設されている。
【００７２】
また、この表示画面７０には、上記機能ショートカットスイッチ７１ａ〜７１ｇのいずれかに指先などを接触させることで選択された機能に関連する操作等を選択するための第２メニュー領域７２が設けられている。ここではナビゲーション機能が選択されており、この第２メニュー領域７２には当該機能名（Navigation）がロゴとともに描画されている。また、第２メニュー領域７２には、当該機能に関連して選択可能な操作等の数に対応して複数（７つ）の操作ショートカットスイッチ７２ａ〜７２ｇが、図１８（ａ）において右から左に順番に配設されている。なお、第２メニュー領域７２に描画される機能は初期設定されており、第１メニュー領域７１においていずれの機能ショートカットスイッチ７１ａ〜７１ｇも選択されなければ、上記初期設定された機能が描画されるようになっている。
【００７３】
次に、図１８（ａ）において操作ショートカットスイッチ７２ａ〜７２ｇのいずれか（ここでは、操作ショートカットスイッチ７２ｄであって、例えばルート変更するためのショートカットスイッチとする。）に指先などを接触させると、図１８（ｂ）に示す表示画面７０に移行し、当該操作ショートカットスイッチ（７２ｄ）の操作に係る説明領域（いわゆるヘルプ）７３がその上方に設けられる。従って、この説明領域７３には、当該操作ショートカットスイッチ（７２ｄ）の操作説明が記載されている。他の操作ショートカットスイッチ７２ａ〜７２ｇについても、選択されることで同様に対応する説明領域７３が設けられるのはいうまでもない。この説明領域７３は、第１メニュー領域７１に重ねて、且つ、第２メニュー領域７２の操作ショートカットスイッチ７２ａ〜７２ｇを覆い隠さないようにして設けられる。また、この説明領域７３内には、略円形の確定領域７４が設けられている。
【００７４】
なお、図１８（ｂ）において当該操作ショートカットスイッチ（７２ｄ）に接触させている指先などをそのまま離間させると、上記説明領域７３は画面から消去されて図１８（ａ）の状態に戻るようになっている。
【００７５】
一方、図１８（ａ）において操作ショートカットスイッチ７２ａ〜７２ｇのいずれか（ここでは、操作ショートカットスイッチ７２ｅであって、例えば目的地を設定するためのショートカットスイッチとする。）に指先などを接触させ、上記に準じて表示画面７０に説明領域７３を設けた状態で更に上記確定領域７４までドラッグさせる。これにより、当該操作（操作ショートカットスイッチ７２ｅ）が確定され、図１８（ｃ）に示す表示画面７０に移行する。このとき、表示画面７０には、上記確定された操作の細部操作等を行うための第３メニュー領域７５が設けられる。この第３メニュー領域７５の上段には、細部操作等の選択項目の数に対応して複数（７つ）の操作ショートカットスイッチ７５ａ〜７５ｇが、図１８（ｃ）において右から左に順番に配設されている。また、この第３メニュー領域７５の下段には、細部操作等の選択項目の数に対応して複数（７つ）の操作ショートカットスイッチ７５ｈ〜７５ｎが、図１８（ｃ）において右から左に順番に配設されている。ここでは、目的地を設定する細部操作等の選択項目として、例えば登録地点の操作ショートカットスイッチや電話番号から検索するための操作ショートカットスイッチ等がある。さらに、この第３メニュー領域７５には、確定されている操作に対応する操作ショートカットスイッチ（７２ｅ）の全体が確定前に対し白黒反転で描画されている。
【００７６】
一方、表示画面７０には、確定前（前回）の第２メニュー領域７２の一部であるメニュー領域７２'が設けられている。このメニュー領域７２'には、確定されなかったその他の操作ショートカットスイッチ（７２ａ〜７２ｄ，７２ｆ，７２ｇ）の一部が、第３メニュー領域７５によって覆い隠されることなく描画されている。この状態で、メニュー領域７２'に指先などを接触させると、表示画面７０には確定前（前回）の第２メニュー領域７２全体が設けられる（図１８（ａ）参照。）。
【００７７】
なお、第３メニュー領域７５において細部操作等が完了すると、初期メニューの画像が描画される直前の画像（例えば、地図画像）に戻されるようになっている。また、第３メニュー領域７５において細部操作等が完了する前（図１８（ａ）〜（ｃ）の状態）であれば、メニューキー（又は、メニュー終了キー）に指先などを接触させることで同様に直前の画像に戻されるようになっている。
【００７８】
以上では、最上位階層のメニュー領域（第１及び第２メニュー領域７１，７２）と次の階層のメニュー領域（第３メニュー領域７５）との関係を説明したが、所定階層のメニュー領域とその次の階層のメニュー領域についても上記と同様の関係を満たすことはいうまでもない。特に、表示画面７０において下層のメニュー領域を逐次展開していくとき、過去（上層）のメニュー領域の一部を残して次のメニュー領域が設けられていく。
【００７９】
次に、本実施形態において、主制御装置１５のＣＰＵ４１により実行されるディスプレイ２２の画像表示態様について図１９のフローチャートに従って総括的に説明する。このルーチンは、タッチパネル２１に設けられたメニューキーに指先などを接触させることにより、主制御装置１５のＣＰＵ４１により起動される。
【００８０】
処理がこのルーチンに移行すると、ステップ１０１においてＣＰＵ４１はディスプレイ２２に初期メニューの画像を描画する（図１８（ａ）参照）。そして、ステップ１０２においてＣＰＵ４１は、終了指示の有無を判断する。ここでの終了指示は、下層のメニュー領域（図１８（ｃ）における第３メニュー領域７５など）における細部操作等の完了やその完了以前でのメニューキー（又は、メニュー終了キー）の操作を意味する。この終了指示があると判断されると、ＣＰＵ４１はこのルーチンを終了する。これにより、初期メニューの画像が描画される直前の画像（例えば、地図画像）に戻されるのは既述のとおりである。
【００８１】
ここで、終了指示がないと判断されると、ステップ１０３においてＣＰＵ４１はタッチパネル２１上の接触位置に操作ショートカットスイッチがあるか否かを判断し、あればステップ１０４に移行して当該操作ショートカットスイッチの操作に係る説明領域（ヘルプ）を表示画面７０に設ける（図１８（ｂ）参照）。
【００８２】
次に、ステップ１０５においてＣＰＵ４１は、タッチパネル２１上に接触があるか否かを判断し、あればステップ１０６において接触位置がスライドして確定領域（７４）にあるかを判断する。そして、接触位置がスライドして確定領域になければ、ＣＰＵ４１はステップ１０５に戻る。また、ステップ１０５においてタッチパネル２１上に接触がなければ、ＣＰＵ４１はステップ１０７において画面上の説明領域を消去するとともに表示画面７０に前回のメニュー領域（上層のメニュー領域）を設け、ステップ１０２に戻る。従って、ステップ１０５〜１０７の処理により、タッチパネル２１上に接触がある限り画面に説明領域が設けられ、なくなると前回のメニュー領域に戻される。
【００８３】
一方、ステップ１０６において接触位置がスライドして確定領域にあれば、ＣＰＵ４１はステップ１０８において画面上の説明領域を消去するとともに表示画面７０に次のメニュー領域（下層のメニュー領域）を設け、ステップ１０２に戻る。このとき、直前のメニュー領域（操作ショートカットスイッチ）の一部を残して表示画面７０に次のメニュー領域が設けられるのは既述のとおりである。
【００８４】
また、ステップ１０３においてタッチパネル２１上の接触位置に操作ショートカットスイッチがなれば、ＣＰＵ４１はステップ１０９に移行して接触位置にメニュー領域があるか否かを判断する。そして、接触位置にメニュー領域があればステップ１１０において表示画面７０に対応するメニュー領域全体を設けてステップ１０２に戻り、なければそのままステップ１０２に戻る。従って、ステップ１０９，１１０の処理により、特に表示画面７０に設けられた過去のメニュー領域の一部に接触があることで容易に当該メニュー領域全体が表示画面７０に設けられる。
【００８５】
以上詳述したように、本実施形態によれば、前記第１実施形態の（９）と同様の効果に加えて以下に示す効果が得られるようになる。
（１）本実施形態では、表示画面７０に、確定前のメニュー領域の一部を残して確定された操作ショートカットスイッチに関連するメニュー領域が設けられることで、現在のメニュー領域の階層をわかりやすくすることができる。また、表示画面７０に残された確定前のメニュー領域の一部に指先などが接触されることで表示画面７０に対応するメニュー領域の全体が設けられる。このため、過去（上層）のメニュー領域へと容易に戻ることができる。
【００８６】
（２）本実施形態では、複数の操作ショートカットスイッチのいずれかに指先などが接触されることで、表示画面７０に当該操作ショートカットスイッチを説明する説明領域（７３）が設けられるため、以後の操作を円滑に行うことができる。また、この説明領域は、操作ショートカットスイッチに接触された指が離間されることで容易に消去することができる。さらに、操作ショートカットスイッチに接触された指が確定領域（７４）にドラッグされることで、表示画面７０に当該操作ショートカットスイッチに関連するメニュー領域が設けられるため、次の階層へと円滑に移行することができる。
【００８７】
なお、本発明の実施の形態は上記実施形態に限定されるものではなく、次のように変更してもよい。
・前記第１実施形態においては、待機状態にある機能を使用可能状態にするため、機能ショートカット領域５２の対応する機能ショートカットスイッチ（５２ａ〜５２ｅ）に接触させた指先を受容領域５１までドラッグした。これに対して、例えば機能ショートカット領域５２の対応する機能ショートカットスイッチ（５２ａ〜５２ｅ）に指先を接触させるのみで、待機状態にある機能を使用可能状態にしてもよい。あるいは、機能ショートカット領域５２の対応する機能ショートカットスイッチ（５２ａ〜５２ｅ）に指先を接触させた後、受容領域５１に指先を接触させることで待機状態にある機能を使用可能状態にしてもよい。さらに、使用可能状態にある機能を待機状態にする場合についても、同様に変更してもよい。
【００８８】
・前記第１実施形態においては、情報表示領域５４の地図５７に描画された登録地点マーク５８に接触させた指先を情報仮登録部５５までドラッグして当該位置情報のショートカット（仮登録地点ショートカットスイッチ５９ａ）を登録した。これに対して、例えば登録地点マーク５８に指先を接触させた後、情報仮登録部５５に指先を接触させることで当該位置情報のショートカット（仮登録地点ショートカットスイッチ５９ａ）を登録してもよい。
【００８９】
・前記第１実施形態においては、登録地点マーク５８に接触させた指先を操作ショートカット領域５３の操作ショートカットスイッチ（５３ａ〜５３ｇ）までドラッグして当該位置情報のショートカットを登録した。これに対して、例えば登録地点マーク５８に接触させた指先を操作ショートカット領域５３までドラッグすることで自動的に空欄の操作ショートカットスイッチ（５３ａ〜５３ｇ）に当該位置情報のショートカットを登録してもよい。また、登録地点マーク５８に指先を接触させた後、操作ショートカット領域５３（若しくは操作ショートカットスイッチ５３ａ〜５３ｇ）に指先を接触させることで当該位置情報のショートカットを登録してもよい。
【００９０】
・前記第１実施形態において、情報表示領域５４の地図５７上での操作モードを切り替え、例えば地図５７上に指などを接触させることで当該地図５７をスクロールさせるようにしてもよい。
【００９１】
・前記第１実施形態においては、情報表示領域５４の登録チャンネルマーク６３に接触させた指先を情報仮登録部５５までドラッグして当該チャンネル情報のショートカットを登録した。これに対して、例えば登録チャンネルマーク６３に指先を接触させた後、情報仮登録部５５に指先を接触させることで当該チャンネル情報のショートカットを登録してもよい。
【００９２】
・前記第１実施形態においては、登録チャンネルマーク６３に接触させた指先を操作ショートカット領域５３の操作ショートカットスイッチ（５３ａ〜５３ｇ）までドラッグして当該チャンネル情報のショートカットを登録した。これに対して、例えば登録チャンネルマーク６３に接触させた指先を操作ショートカット領域５３までドラッグすることで自動的に空欄の操作ショートカットスイッチ（５３ａ〜５３ｇ）に当該チャンネル情報のショートカットを登録してもよい。また、登録チャンネルマーク６３に指先を接触させた後、操作ショートカット領域５３（若しくは操作ショートカットスイッチ５３ａ〜５３ｇ）に指先を接触させることで当該チャンネル情報のショートカットを登録してもよい。
【００９３】
・前記第１実施形態においては、機能ショートカット領域５２において、機能ショートカットスイッチの空欄が左側に配置されるように右詰としたが、利用者の設定に応じて左詰としたり、間欠的に配置したりしてもよい。
【００９４】
・前記第１実施形態においては、操作ショートカット領域５３において、操作ショートカットスイッチの空欄が左側に配置されるように右詰としたが、利用者の設定に応じて左詰としたり、間欠的に配置したりしてもよい。
【００９５】
・前記第１実施形態において、作成されたショートカット（リスト５９，６２）は、利用者の設定により追加情報（例えば位置情報に係るホームページアドレスやチャンネル情報に係る司会者の名称など）を登録できるようにしてもよい。
【００９６】
・前記第１実施形態において、空調機能が使用可能状態にあり、情報表示領域５４に対応する情報（設定温度、風量など）の画像が描画されている状態では、上記に準じて情報仮登録部５５若しくは操作ショートカット領域５３にドラッグ等することで、当該情報のショートカットを作成してもよい。なお、空調機能の設定として、例えば車内湿度、花粉除去量、マイナスイオンの放出量、匂いなどの設定がある。あるいは、こうした設定機能を利用して異なる地域（例えば海外など）の気象をシミュレートできるようにしてもよい。
【００９７】
・前記第２実施形態において、規則性に従い表示画面７０に次の階層のメニュー領域を逐次設けていったとき、説明領域（ヘルプ）の表示スペースが狭くなったりなくなったりした場合には、操作ショートカットスイッチの上方に限らずその右側や左側などに確定領域とともに適宜設ければよい。
【００９８】
・前記第２実施形態においては、操作ショートカットスイッチに指先などを接触させ、説明領域内の確定領域までドラッグさせることで対応する操作を確定させた。これに対して、例えば操作ショートカットスイッチに指先などを接触させて確定領域までドラッグさせ、更に指先をタッチパネル２１から離間させることで対応する操作を確定させてもよい。あるいは、操作ショートカットスイッチに指先などを接触させ、そのまま所定距離以上ドラッグさせることで対応する操作を確定させてもよい。あるいは、操作ショートカットスイッチに指先などが接触したときに所定期間だけ説明領域とともに確定領域を表示させておくようにし、この間において確定領域に指先などを接触させることで対応する操作を確定させてもよい。
【００９９】
・前記第２実施形態において、現在の階層において表示画面７０に説明領域を設けたときの確定領域の表示位置は、選択項目（ショートカットスイッチ）の表示位置と完全に一致しなくてもよい。また、現在の階層において過去（上層）のメニュー領域に戻るために残された一部の表示位置は、実際の過去のメニュー領域の表示位置と完全に一致しなくてもよい。
【０１００】
・前記各実施形態においては特に言及していないが、情報記憶装置１４として磁気ディスク装置、光ディスク装置、光磁気ディスク装置を採用することができる。あるいは、メモリカード、フロッピー（登録商標）ディスク、ＣＤ−ＲＯＭ，ＤＶＤ−ＲＯＭなどの光ディスク、ＭＯ，ＭＤなどの光磁気ディスク等を駆動し、その記憶内容にアクセスするドライブ装置を採用することができる。
【０１０１】
・前記各実施形態において、指が表示部（タッチパネル２１）に完全に接触していない場合でも、指が表示部に接近し、静電気による電気信号や光の信号が発生された場合には、指が接触したと検知するようにしてもよい。
【０１０２】
・前記各実施形態において、利用者によるディスプレイ２２（タッチパネル２１）での操作を、例えば手袋を装着した指を接触させて行っても本発明を何ら逸脱するものではない。
【０１０３】
・前記各実施形態において、車両用ナビゲーション装置１１により各種装置（チューナ１６、オーディオ装置１７、エアコン１８、携帯電話機１９）を操作するようにしたが、例えば車両用ナビゲーション装置１１も含めてこれら装置を統括操作する上位の装置を設けてもよい。
【０１０４】
・前記各実施形態において、車両用ナビゲーション装置１１により操作可能な装置（チューナ１６、オーディオ装置１７、エアコン１８、携帯電話機１９）及びこれによって実現される機能は一例である。
【０１０５】
・上記各実施形態では、車両用ナビゲーション装置１１に具体化したが、ＧＰＳ装置等の現在位置検出手段を備えた携帯電話機や小型携帯情報端末（ＰＤＡ：Personal Digital Assistants ）などの移動体通信機器に具体化してもよい。
【０１０６】
・上記各実施形態では、車両用ナビゲーション装置１１に具体化したが、その他の画像表示に係る装置に具体化してもよい。
【図面の簡単な説明】
【０１０７】
【図１】本発明の第１実施形態を示すブロック図。
【図２】同実施形態の画像表示態様を示す画面例。
【図３】同実施形態の画像表示態様を示す画面例。
【図４】同実施形態の画像表示態様を示す画面例。
【図５】同実施形態の画像表示態様を示す画面例。
【図６】同実施形態の画像表示態様を示す画面例。
【図７】同実施形態の画像表示態様を示す画面例。
【図８】同実施形態の画像表示態様を示す画面例。
【図９】同実施形態の画像表示態様を示す画面例。
【図１０】同実施形態の画像表示態様を示す画面例。
【図１１】同実施形態の画像表示態様を示す画面例。
【図１２】同実施形態の画像表示態様を示す画面例。
【図１３】同実施形態の画像表示態様を示す画面例。
【図１４】同実施形態の画像表示態様を示す画面例。
【図１５】同実施形態の画像表示態様を示す画面例。
【図１６】同実施形態の画像表示態様を示す画面例。
【図１７】同実施形態の画像表示態様を示す画面例。
【図１８】本発明の第２実施形態の画像表示態様を示す画面例であり（ａ）（ｂ）（ｃ）はその推移を示す画面例。
【図１９】同実施形態の画像表示態様を示すフローチャート。
【符号の説明】
【０１０８】
１１  画像表示装置を構成する車両用ナビゲーション装置
１２  入出力装置
１５  主制御装置
２１  表示部を構成するタッチパネル
２２  表示部を構成するディスプレイ
５０，７０  表示画面
５２  機能ショートカット領域
５２ａ〜５２ｅ  機能ショートカットスイッチ
５３ａ〜５３ｇ  操作ショートカットスイッチ
５３  操作ショートカット領域
５４  情報表示領域（地図表示領域）
５５  情報仮登録領域を構成する情報仮登録部
５６  ショートカット一覧表示領域を構成するジョグキー
７２ａ〜７２ｇ  選択項目としての操作ショートカットスイッチ
７２  メニュー領域としての第２メニュー領域
７３  説明領域
７４  確定領域
７５  メニュー領域としての第３メニュー領域
７５ａ〜７５ｎ  選択項目としての操作ショートカットスイッチ
【図１】
2008234667.tif 000003
【図２】
2008234667.tif 000004
【図３】
2008234667.tif 000005
【図４】
2008234667.tif 000006
【図５】
2008234667.tif 000007
【図６】
2008234667.tif 000008
【図７】
2008234667.tif 000009
【図８】
2008234667.tif 000010
【図９】
2008234667.tif 000011
【図１０】
2008234667.tif 000012
【図１１】
2008234667.tif 000013
【図１２】
2008234667.tif 000014
【図１３】
2008234667.tif 000015
【図１４】
2008234667.tif 000016
【図１５】
2008234667.tif 000017
【図１６】
2008234667.tif 000018
【図１７】
2008234667.tif 000019
【図１８】
2008234667.tif 000020
【図１９】
2008234667.tif 000021